(57)【要約】【課題】浴室全体の面積を広げることなく、かつ浴槽スペースを狭くすることなく、洗い場の洗体スペースを広くでき、かつ安価に製造可能な浴室ユニットを提供する。【解決手段】浴室ユニット１の洗い場床パネル３は、発泡樹脂からなるパネル本体１０と補強殻体１１を含み、浴槽２の奥行方向の手前側に配置されている。該洗い場床パネル２０は、奥行が相対的に広い広床部３ａと、奥行が相対的に狭い狭床部３ｂと、幅方向の位置に応じて奥行が異なる中間床部３ｃとを有している。広床部３ａと狭床部３ｂとが中間床部３ｃを介して幅方向Ｗに連ねられている。【選択図】図１
2020041371.tif 000002
【特許請求の範囲】
【請求項１】
発泡樹脂からなるパネル本体及び前記パネル本体を上下から囲む補強殻体を含む洗い場床パネルと、浴槽とが幅方向と直交する奥行方向に並んで配置された浴室ユニットであって、
前記洗い場床パネルは、奥行が相対的に広い広床部と、奥行が相対的に狭い狭床部と、前記幅方向の位置に応じて奥行が異なる中間床部とを有し、前記広床部と前記狭床部とが前記中間床部を介して前記幅方向に連ねられており、
前記浴槽の奥行が、前記広床部と対向する部分では狭く、前記狭床部と対向する部分では広いことを特徴とする浴室ユニット。
【請求項２】
前記広床部における浴槽側の縁が、前記狭床部における浴槽側の縁よりも平面視で浴槽側に配置され、前記中間床部における浴槽側の縁が、前記幅方向に対して前記広床部へ向かって浴槽側へ傾く斜縁であることを特徴とする請求項１に記載の浴室ユニット。
【請求項３】
前記中間床部には、前記幅方向に対して斜めをなす細長形状の洗い場排水口が、前記斜縁に沿って設けられていることを特徴とする請求項２に記載の浴室ユニット。
【請求項４】
前記洗い場床パネルの浴槽側の端部には立ち上り部が設けられており、
前記立ち上り部における、前記広床部の立ち上り部分が、前記狭床部の立ち上り部分よりも平面視で浴槽側へずれて配置され、かつ前記中間床部の立ち上り部分が、前記幅方向に対して前記広床部へ向かって浴槽側へ傾けられていることを特徴とする請求項１〜３の何れか１項に記載の浴室ユニット。
【請求項５】
前記洗い場床パネルにおける前記立ち上り部を除く床面には、床表層シートが設けられ、
前記立ち上り部の洗い場を向く面には、前記床表層シートとは別体をなす立ち上り表層シートが設けられ、前記立ち上り表層シートが、前記広床部の立ち上り部分と前記中間床部の立ち上り部分と前記狭床部の立ち上り部分とにわたって延びる帯状であり、かつ２つの立ち上り部分どうしの境において屈曲されていることを特徴とする請求項４に記載の浴室ユニット。
【請求項６】
前記立ち上り部が、前記発泡樹脂からなるパネル本体と同体の立ち上り本体部と、前記立ち上り本体部に被さる立ち上り補強部とを含み、
前記立ち上り補強部が、前記広床部の立ち上り補強部材と、前記狭床部の立ち上り補強部材と、前記中間床部の立ち上り補強部材とに分割され、
前記立ち上り表層シートが、これら立ち上り補強部材の洗い場を向く面に跨っていることを特徴とする請求項５に記載の浴室ユニット。
【請求項７】
前記床面と前記立ち上り部の洗い場を向く面とのコーナー部には、前記床表層シートと前記立ち上り表層シートとの表側面どうし間に跨る目地部材が設けられていることを特徴とする請求項５又は６に記載の浴室ユニット。
【請求項８】
前記目地部材には、前記立ち上り表層シートの下端部が嵌合される嵌合凹溝が形成されていることを特徴とする請求項７に記載の浴室ユニット。
【請求項９】
浴室の奥行方向における浴槽の手前側に配置され、発泡樹脂からなるパネル本体と、前記パネル本体を上下から囲む補強殻体とを含む洗い場床パネルであって、
奥行が相対的に広い広床部と、奥行が相対的に狭い狭床部と、前記奥行方向と直交する幅方向の位置に応じて奥行が異なる中間床部とを有し、前記広床部と前記狭床部とが前記中間床部を介して前記幅方向に連ねられていることを特徴とする浴室の洗い場床パネル。
【発明の詳細な説明】
【技術分野】
【０００１】
本発明は、洗い場と浴槽を有する浴室ユニット及び洗い場床パネルに関し、特に洗い場床パネルの平面視形状等に関する。
【背景技術】
【０００２】
一般に、ユニットバスなどの浴室ユニットの洗い場床パネルは、繊維強化プラスチック（ＦＲＰ）を圧縮成形してなるＦＲＰ成形品である。その裏面部には、強度を確保するために多数の補強リブが設けられている。このため、構造が複雑で、金型費用が嵩み、製造コストが高い。
【０００３】
これに対し、発明者は、発泡樹脂製のパネル本体が補強殻体によって上下から囲まれたサンドイッチ構造の洗い場床パネルを提案した（特許文献１）。パネル本体は発泡成形によって作製できるから、金型費用を安価にできる。ひいては製造コストを安くできる。
【先行技術文献】
【特許文献】
【０００４】
【特許文献１】特開２０１７−２１８７９９号公報
【発明の概要】
【発明が解決しようとする課題】
【０００５】
ユニットバスの一般的な平面サイズは１６００ｍｍ×１６００ｍｍ程度である。その約半分の長方形のスペースに浴槽が設置され、残り半分の長方形のスペースが洗い場となる。このため、洗い場の洗体スペースが狭いと感じる場合がある。
そこで、洗い場を非長方形・左右非対称の異形形状とすることが考えられる。そうすると、浴室全体の平面サイズは同じでも、かつ浴槽スペースを狭くすることなく、洗い場を部分的に広くして、その広くなった部分を洗体スペースとして利用できる。
しかし、洗い場を異形形状すなわち左右非対称とした場合、左右勝手違いに対応するために、左右を反転させた２つの成形金型が必要である。このため、ＦＲＰ成形品においては金型費用がますます嵩み、金型投資が需要に見合わなくなる。
本発明はかかる事情に鑑みてなされたものであり、浴室全体の面積を広げることなく、かつ浴槽スペースを狭くすることなく、洗い場の洗体スペースを広くでき、かつ安価に製造可能な浴室ユニットを提供することを目的とする。
【課題を解決するための手段】
【０００６】
前記課題を解決するため、本発明は、発泡樹脂からなるパネル本体及び前記パネル本体を上下から囲む補強殻体を含む洗い場床パネルと、浴槽とが幅方向と直交する奥行方向に並んで配置された浴室ユニットであって、
前記洗い場床パネルは、奥行が相対的に広い広床部と、奥行が相対的に狭い狭床部と、前記幅方向の位置に応じて奥行が異なる中間床部とを有し、前記広床部と前記狭床部とが前記中間床部を介して前記幅方向に連ねられており、
前記浴槽の奥行が、前記広床部と対向する部分では狭く、前記狭床部と対向する部分では広いことを特徴とする。
【０００７】
当該浴室ユニットによれば、洗い場床パネルが広床部と狭床部を有する異形形状（非四角形）となる。広床部を設けることによって洗体スペースを広くできる。浴室全体の面積を広げたり浴槽を狭めたりする必要はない。浴槽については、狭床部と対向する浴槽部分を広くすることで、ゆとりを持たせることができる。これによって、浴室ユニットの使い勝手を向上できる。
前記パネル本体は発泡成形によって作製できる。一般に、発泡成形金型は、圧縮成形金型よりも構造が簡素で安価である。加えて、前記パネル本体は補強殻体で囲まれて補強されるから、パネル本体自体には補強リブを設ける必要が無い。したがって、パネル本体の形状を簡素化できる。ひいては発泡成形金型の構造を一層簡素化でき、金型費用をＦＲＰの圧縮成形金型と比べ極めて安価にできる。左右勝手違いの洗い場床パネルを作るために金型費用が２倍になったとしても、ＦＲＰ圧縮成形品の場合の左右片側用の金型費用よりも十分に安価である。したがって、異形形状の洗い場床パネルひいては浴室ユニットを安価に製造でき、多品種少量生産を行うことができる。
【０００８】
前記中間床部の奥行寸法は、前記狭床部側から前記広床部へ向かって大きくなっていることが好ましい。
前記中間床部における前記狭床部との連続部での奥行寸法は、前記狭床部の奥行寸法と等しいことが好ましい。
前記中間床部における前記広床部との連続部での奥行寸法は、前記広床部の奥行寸法と等しいことが好ましい。
前記広床部における浴槽側の縁が、前記狭床部における浴槽側の縁よりも平面視で浴槽側に配置され、前記中間床部における浴槽側の縁が、前記幅方向に対して前記広床部へ向かって浴槽側へ傾く斜縁であることが好ましい。これによって、洗い場床パネルを異形形状に出来る。
前記洗い場床パネルの奥行方向の手前側（浴槽側とは反対側）の縁部は、幅方向の全長にわたって直線状であることが好ましい。つまり、広床部と中間床部と狭床部との手前側の縁部は、互い一直線に連続していることが好ましい。
【０００９】
前記中間床部には、前記幅方向に対して斜めをなす細長形状の洗い場排水口が、前記斜縁に沿って設けられていることが好ましい。
洗い場排水口の納まりをよくすることができる。また、入浴者が浴室の出入り時などに洗い場排水口を踏まないようにできる。
【００１０】
前記洗い場床パネルの浴槽側の端部には立ち上り部が設けられており、
前記立ち上り部における、前記広床部の立ち上り部分が、前記狭床部の立ち上り部分よりも平面視で浴槽側へずれて配置され、かつ前記中間床部の立ち上り部分が、前記幅方向に対して前記広床部へ向かって浴槽側へ傾けられていることが好ましい。
これによって、平面視において、立ち上り部が、洗い場床パネルの浴槽側の縁形状に合わせて屈曲した形状となる。
【００１１】
前記洗い場床パネルにおける前記立ち上り部を除く床面には、床表層シートが設けられ、
前記立ち上り部の洗い場を向く面には、前記床表層シートとは別体をなす立ち上り表層シートが設けられ、前記立ち上り表層シートが、前記広床部の立ち上り部分と前記中間床部の立ち上り部分と前記狭床部の立ち上り部分とにわたって延びる帯状であり、かつ２つの立ち上り部分どうしの境において屈曲されていることが好ましい。
これによって、表層シートが、床面用の床表層シートと、立ち上り部用の立ち上り表層シートとに分割される。１枚の表層シートを異形の床面から立ち上り部側へ立ち上げる必要が無い。したがって、異形の洗い場床パネルに表層シートを容易に張設できる。
床表層シートは、床面に対応する異形形状とすることが好ましい。
【００１２】
前記立ち上り部が、前記発泡樹脂からなるパネル本体と同体の立ち上り本体部と、前記立ち上り本体部に被さる立ち上り補強部とを含み、
前記立ち上り補強部が、前記広床部の立ち上り補強部材と、前記狭床部の立ち上り補強部材と、前記中間床部の立ち上り補強部材とに分割され、
前記立ち上り表層シートが、これら立ち上り補強部材の洗い場を向く面に跨っていることが好ましい。
立ち上り補強部によって発泡樹脂製の立ち上り本体部を補強できる。立ち上り補強部を分割することによって、各立ち上り補強部材を押し出し成形等によって安価に作製できる。立ち上り表層シートの貼り付け対象は、発泡樹脂製の立ち上り本体部よりも硬い立ち上り補強部である。したがって、立ち上り表層シートを立ち上り補強部にしっかりと押し当てて貼り付けることができ、立ち上り表層シートの貼り付け作業を容易化できる。
【００１３】
前記床面と前記立ち上り部の洗い場を向く面とのコーナー部には、前記床表層シートと前記立ち上り表層シートとの表側面どうし間に跨る目地部材が設けられていることが好ましい。
目地部材によって床表層シートと立ち上り表層シートとの継目を覆うことができる。好ましくは、前記継目にはシリコーン等の水密材を設けて防水処理する。前記目地部材によって前記水密材を覆うことで、外観に優れ、かつ清掃による水密材の捲れや千切れを防止できる。
【００１４】
前記目地部材には、前記立ち上り表層シートの下端部が嵌合される嵌合凹溝が形成されていることが好ましい。
これによって、目地部材と立ち上り表層シートとを一体化できる。
【００１５】
本発明に係る浴室の洗い場床パネルは、浴室の奥行方向における浴槽の手前側に配置され、発泡樹脂からなるパネル本体と、前記パネル本体を上下から囲む補強殻体とを含む洗い場床パネルであって、
奥行が相対的に広い広床部と、奥行が相対的に狭い狭床部と、前記奥行方向と直交する幅方向の位置に応じて奥行が異なる中間床部とを有し、前記広床部と前記狭床部とが前記中間床部を介して前記幅方向に連ねられていることを特徴とする。
【発明の効果】
【００１６】
本発明によれば、浴室全体の面積を広げることなく、かつ浴槽スペースを狭くすることなく、洗い場の洗体スペースを広くできる。かつ、異形形状の洗い場床パネルを含む浴室を安価に製造することができる。
【図面の簡単な説明】
【００１７】
【図１】図１は、本発明の第１実施形態に係る浴室ユニットの平面図である。
【図２】図２は、図１のＩＩ−ＩＩ折曲線に沿う断面図である。
【図３】図３は、前記浴室ユニットの洗い場床パネルの分解斜視図である。
【図４】図４は、図２の円部ＩＶの拡大断面図である。
【図５】図５は、図２の円部Ｖの拡大断面図である。
【図６】図６は前記洗い場床パネルのコーナー部に設けられる目地部材の断面図である。
【図７】図７は前記目地部材と立ち上り表層シートとの組状態の断面図である。
【図８】図８は、図１の浴室ユニットに対して左右勝手違いの浴室ユニットの平面図である。
【図９】図９は、本発明の第２実施形態に係る浴室ユニットの平面図である。
【発明を実施するための形態】
【００１８】
以下、本発明の実施形態を図面にしたがって説明する。
図１〜図７は、本発明の第１実施形態を示したものである。図１に示すように、本実施形態の浴室ユニット１は、浴槽２と、洗い場床パネル３を備えたユニットバスである。洗い場床パネル３と浴槽２とが、奥行方向Ｄに並んで配置されている。洗い場床パネル３が、浴槽２に対して奥行方向Ｄの手前側（図１において右側）に配置されている。
【００１９】
図１に示すように、浴室ユニット１全体は、平面視においてほぼ正方形又は長方形（四角形）になっている。
これに対し、浴槽２及び洗い場床パネル３は、平面視で非四角形（非正方形かつ非長方形）の異形形状となっている。詳しくは、洗い場床パネル３は、広床部３ａと、狭床部３ｂとい、中間床部３ｃを有している。洗い場の幅方向Ｗ（奥行方向Ｄと直交する方向）の一端側（図１において上側）に広床部３ａが配置されている。広床部３ａは、奥行（奥行方向Ｄに沿う寸法）が相対的に広く、相対的に大きな床面積の長方形又は正方形になっている。
【００２０】
広床部３ａの奥行は、浴室ユニット１全体の奥行の２分の１よりも大きい。例えば、浴室ユニット１全体の平面サイズが、幅１６００ｍｍ×奥行１６００ｍｍ程度である場合、広床部３ａの奥行は、好ましくは８００ｍｍ超〜１２００ｍｍ程度、より好ましくは１０００ｍｍ程度である。
【００２１】
洗い場の幅方向Ｗの他端側（図１において下側）に狭床部３ｂが配置されている。狭床部３ｂは、奥行が相対的に狭く、相対的に小さな床面積の長方形又は正方形になっている。狭床部３ｂの奥行は、浴室ユニット１全体の奥行の約２分の１であり、好ましくは８００ｍｍ〜８５０ｍｍ程度である。
【００２２】
広床部３ａと狭床部３ｂの間に中間床部３ｃが配置されている。
中間床部３ｃは、平面視で台形になっている。すなわち、中間床部３ｃの奥行寸法は、幅方向Ｗの位置に応じて異なり、狭床部３ｂ側から広床部３ａ側へ向かうにしたがって増大している。
広床部３ａと狭床部３ｂとが中間床部３ｃを介して幅方向Ｗに連ねられている。３つの床部３ａ，３ｂ，３ｃの上面によって、洗い場床パネル３の床面３ｆが構成されている。
【００２３】
３つの床部３ａ，３ｂ，３ｃの手前側（浴槽２側とは反対側、図１において右側）の縁部どうしは、一直線に揃えられている。
広床部３ａにおける浴槽２側の縁は、狭床部３ｂにおける浴槽２側の縁よりも平面視で浴槽２側（図１において左側）へ突出して配置されている。
中間床部３ｃにおける浴槽２側の縁は、幅方向Ｗに対して広床部３ａ側へ向かって浴槽２側へ傾く斜縁３ｄになっている。
【００２４】
図１に示すように、洗い場床パネル３における中間床部３ｃの斜縁３ｄの近くに洗い場排水口４が設けられている。洗い場排水口４は、平面視において、幅方向Ｗに対して斜めをなし、斜縁３ｄに沿って延びる細長形状になっている。図２に示すように、洗い場床パネル３の床面３ｆ（上面）には、洗い場排水口４へ向かって下へ傾く水流れ勾配が形成されている。
【００２５】
なお、図１及び図２に示すように、浴槽２は、浴槽本体２ｄと、底部の浴槽受けパン２ｅを含む。浴槽２（浴槽本体２ｄ及び浴槽受けパン２ｅ）の奥行寸法は、広床部３ａと対向する浴槽部分２ａでは狭く、狭床部３ｂと対向する浴槽部分２ｂでは広くなっている。中間床部３ｃと対応する浴槽部分２ｃでは、浴槽部分２ａ側から浴槽部分２ｂ側へ向かって奥行が広くなっている。
【００２６】
図１及び図２に示すように、洗い場床パネル３の浴槽２側の端部（図１において左端部）には、立ち上り部５（土手部）が設けられている。立ち上り部５は、床面３ｆより上へ突出するとともに、洗い場床パネル３の浴槽側端部に沿って延びている。立ち上り部５は、広床部３ａの側部の広床側立ち上り部分５ａと、狭床部３ｂの側部の狭床側立ち上り部分５ｂと、狭床部３ｂの側部の中間床側立ち上り部分５ｃとを含む。言い換えると、床部３ａ，３ｂ，３ｃの浴槽２側の縁がそれぞれ隆起して、立ち上り部５が構成されている。
立ち上り部５によって、洗い場から浴槽側への水の流れが堰き止められている。
【００２７】
図１に示すように、立ち上り部５は、平面視で、床部３ａ，３ｂ，３ｃの浴槽２側の縁形状に合わせて屈曲されている。すなわち、平面視において、広床側立ち上り部分５ａが、狭床側立ち上り部分５ｂよりも浴槽２側へずれて配置されている。これら立ち上り部分５ａは、それぞれ幅方向Ｗに沿って真っ直ぐ延びている。
中間床側立ち上り部分５ｃは、平面視において、幅方向Ｗに対して狭床側立ち上り部分５ｂ側から広床側立ち上り部分５ａ側へ向かうにしたがって浴槽２側へ傾けられている。
前記細長形状の洗い場排水口４が、中間床側立ち上り部分５ｃに沿うように配置されている。
【００２８】
洗い場床パネル３は、次のような部材構成を有している。
図２〜図４に示すように、洗い場床パネル３は、パネル本体１０と、殻体１１を備えている。
パネル本体１０は、ＥＰＳ（発泡ポリスチレン）等の発泡樹脂によって板状に成形されている。ＥＰＳの発泡倍率は、好ましくは１５倍〜３０倍程度であり、より好ましくは２０倍程度である。なお、パネル本体１０の材質は、ＥＰＳに限られず、発泡ポリプロピレン、発泡ポリエチレン等であってもよい。
【００２９】
図１及び図３に示すように、パネル本体１０の平面視形状は、床部３ａ，３ｂ，３ｃに対応する異形形状（非四角形）となっている。
パネル本体１０の浴槽側の端部は、床部３ａ，３ｂ，３ｃの浴槽２側の縁形状に対応して屈曲されている。
パネル本体１０の浴槽側の端部を除く３つの端部には、載置凹溝部１０ｆが形成されている。載置凹溝部１０ｆには、樹脂押出型材からなる載置部材８が載せられている。図２において二点鎖線にて示すように、載置部材８上に浴室壁（又は浴室扉枠）９が配置される。なお、浴室扉は、洗い場床パネル３の浴槽側以外の３つの端部の何れに設けてもよい。
【００３０】
図２及び図３に示すように、パネル本体１０の浴槽側の端部には、立ち上り本体部１５が一体形成されている。立ち上り本体部１５は、パネル本体１０における当該立ち上り本体部１５を除く上面より上へ突出するとともに、パネル本体１０の浴槽側端部に沿って屈曲するように延びている。立ち上り本体部１５によって、立ち上り部５の主部が構成されている。
立ち上り本体部１５は、広床部３ａの側部の広床側立ち上り本体部分１５ａと、狭床部３ｂの側部の狭床側立ち上り本体部分１５ｂと、狭床部３ｂの側部の中間床側立ち上り本体部分１５ｃとを含む。３つの立ち上り本体部分１５ａ，１５ｂ，１５ｃによって、それぞれ立ち上り部分５ａ，５ｂ，５ｃの主部が構成されている。
【００３１】
図５に示すように、パネル本体１０の上面と立ち上り本体部１５との間のコーナー部１０ｃには、コーナー溝１０ｄが形成されている。コーナー溝１０ｄは、立ち上り本体部１５に沿って延びている。コーナー溝１０ｄにおける浴槽側の内壁面（図５において左側面）が、立ち上り本体部１５の洗い場側面と面一に連続している。コーナー溝１０ｄの底面は、立ち上り本体部１５の長手方向に沿って真っすぐ水平に延びている。
【００３２】
図２〜図４に示すように、パネル本体１０は、補強殻体１１によって上下から囲まれている。補強殻体１１は、上下の補強パネル部材１２，１３と、立ち上り補強部５０を含む。
パネル本体１０の底部に下側補強パネル部材１３が設けられている。図３に示すように、下側補強パネル部材１３は、底板部１３ａと、側板部１３ｂを有している。底板部１３ａの形状は、床部３ａ，３ｂ，３ｃに対応する異形形状（非四角形）となっている。該底板部１３ａが、パネル本体１０の底面に被さっている。底板部１３ａの外周縁部から側板部１３ｂが直角に立ち上がり、パネル本体１０の外周端面に被さっている。
図４に示すように、パネル本体１０と下側補強パネル部材１３とは、接着剤１９によって接着されている。接着剤１９としては、例えば熱硬化性の２液混合ウレタン系接着剤が用いられているが、必ずしもこれに限定されるものではなく、シリコーン系接着剤、エポキシ系接着剤その他の接着剤を用いてもよい。
【００３３】
図１に示すように、上側補強パネル部材１２の形状は、床部３ａ，３ｂ，３ｃに対応する異形形状（非四角形）となっている。該上側補強パネル部材１２が、パネル本体１０の上面に被さっている。図４に示すように、パネル本体１０と上側補強パネル部材１２とは、接着剤１９Ａによって接着されている。好ましくは、接着剤１９Ａの成分は、接着剤１９と同様である。
【００３４】
上下の補強パネル部材１２，１３は、それぞれ鋼板などの金属板を成形（シャーリング、穴開け、折り曲げなど）することによって構成されている。補強パネル部材１２，１３の厚みは、例えば０．５ｍｍ〜１．２ｍｍ程度である。
【００３５】
図２に示すように、洗い場床パネル３の立ち上り部５には、上下の補強パネル部材１２，１３とは別の立ち上り補強部５０が設けられている。図３に示すように、立ち上り補強部５０は、３つの立ち上り補強部材５１，５２，５３に分割されている。
【００３６】
各立ち上り補強部材５１，５２，５３は、好ましくは樹脂の押出成形によって作製されている。立ち上り補強部材５１，５２，５３の樹脂材質としては、例えばＰＶＣ、ＡＢＳ等が挙げられる。硬質樹脂製の立ち上り補強部材５１，５２，５３ひいては立ち上り補強部５０は、発泡樹脂製のパネル本体１０より硬質である。
なお、立ち上り補強部材５１，５２，５３が、アルミ等の金属によって構成されていてもよい。
【００３７】
図５に示すように、各立ち上り補強部材５１，５２，５３は、浴槽側被さり部５４と、上端被さり部５５と、洗い場側被さり部５６を含んでいる。これら３つの被さり部５４，５５，５６が、パネル本体１０の立ち上り本体部１５の浴槽側の面と、上端面と、洗い場側の面にそれぞれ被さっている。これによって、立ち上り補強部５０が、立ち上り本体部１５を浴槽側、上側、洗い場側の三方から囲んでいる。
【００３８】
各立ち上り補強部材５１，５２，５３の洗い場側被さり部５６の下端部は、コーナー溝１０ｄに嵌め入れられ、かつコーナー溝１０ｄの立ち上り部側（図５において左側）の内壁面に宛がわれている。
洗い場側被さり部５６の下端部と、コーナー溝１０ｄの洗い場側（図５において右側）の内壁面との間の間隙には、水密材４３（シーリング材）が充填されている。水密材４３は、例えばシリコーンによって構成されている。
【００３９】
図１及び図３に示すように、広床側立ち上り補強部材５１は、広床側立ち上り本体部分１５ａに沿って幅方向Ｗへ延び、かつ該立ち上り本体部分１５ａに被さっている。立ち上り本体部分１５ａと立ち上り補強部材５１とによって、広床側立ち上り部分５ａが構成されている。
【００４０】
狭床側立ち上り補強部材５２は、狭床側立ち上り本体部分１５ｂに沿って幅方向Ｗへ延び、かつ該立ち上り本体部分１５ｂに被さっている。立ち上り本体部分１５ｂと立ち上り補強部材５２とによって、狭床側立ち上り部分５ｂが構成されている。
平面視において、広床側立ち上り補強部材５１が、狭床側立ち上り補強部材５２よりも浴槽２側へずれて配置されている。
【００４１】
中間床側立ち上り補強部材５３は、幅方向Ｗに対して斜めに延び、中間床側立ち上り本体部分１５ｃに被さっている。立ち上り本体部分１５ｃと立ち上り補強部材５３とによって、中間床側立ち上り部分５ｃが構成されている。
【００４２】
図１に示すように、隣接する立ち上り補強部材５１，５３どうし及び５３，５２どうし間の継ぎ目には、シーリング材５７が設けられている。シーリング材５７は、例えばシリコーンによって構成されている。シーリング材５７によって前記継ぎ目が水密に封止されている。
【００４３】
図３及び図５に示すように、洗い場床パネル３には、表層シート６として、床面３ｆ用の床表層シート１４と、立ち上り部５用の立ち上り表層シート１６とが設けられている。
床表層シート１４は、床部３ａ，３ｂ，３ｃに対応する異形形状に形成されている。該床表層シート１４が、上側補強パネル部材１２ひいてはパネル本体１０における立ち上り本体部５を除く部分上に被せられている。床表層シート１４によって、洗い場床パネル３の床面３ｆが構成されている。
なお、図１においては、表層シート６の図示が省略されている。
【００４４】
床表層シート１４は、軟質塩化ビニル樹脂（ＰＶＣ）によって構成されているが、これに限られずシリコンラバー等によって構成されていてもよい。表層シート１４の厚みは、好ましくは２ｍｍ〜４ｍｍ程度であるが、必ずしも前記数値に限定されるものではない。表層シート１４は、防水性を有している。更に、表層シート１４によって、洗い場床パネル３の温熱感性及びクッション性が確保されている。
【００４５】
図４に示すように、床表層シート１４の裏面のほぼ全域に両面粘着テープ１４ｂが積層されている。両面粘着テープ１４ｂを介して、床表層シート１４と上側補強パネル部材１２とが接合されている。鋼製の上側補強パネル部材１２は、発泡樹脂からなるパネル本体１０よりも硬いから、床表層シート１４を上側補強パネル部材１２にしっかりと押し当てて確実に貼り付けることができる。
図５に示すように、床表層シート１４の周端部は上側補強パネル部材１２より突出されており、その裏面に防水粘着テープ４０が設けられている。該防水粘着テープ４０がパネル本体１０に貼り付けられることによって、床表層シート１４の周端部とパネル本体１０との間がシールされている。
【００４６】
図２及び図３に示すように、立ち上り部５の洗い場を向く面には、立ち上り表層シート１６が設けられている。立ち上り表層シート１６は、床表層シート１４とは別体の帯状に形成されている。言い換えると、洗い場床パネル３の表層シート６は、床面３ｆ用の表層シート１４と、立ち上り部５用の表層シート１６とに分割されている。
立ち上り表層シート１６は、可撓性を有している。好ましくは、立ち上り表層シート１６の材質は、床表層シート１４と同じ軟質樹脂である。なお、立ち上り表層シート１６の材質が床表層シート１４とは異なっていてもよい。
【００４７】
図３に示すように、立ち上り表層シート１６は、広床側立ち上り部分５ａと、中間床側立ち上り部分５ｃと、狭床側立ち上り部分５ｂとにわたって延びている。立ち上り表層シート１６は、立ち上り部５の屈曲形状に倣って、隣接する立ち上り部分５ａ，５ｃどうし及び５ｃ，５ｂどうしの境において屈曲されている。
詳しくは、立ち上り表層シート１６は、広床側立ち上りシート部１６ａと、中間床側立ち上りシート部１６ｃと、狭床側立ち上りシート部１６ｂとを一体に含む。広床側立ち上りシート部１６ａが、広床側立ち上り補強部材５１に被さっている。中間床側立ち上りシート部１６ｃが、中間床側立ち上り補強部材５３に被さっている。狭床側立ち上りシート部１６ｂが、狭床側立ち上り補強部材５２に被さっている。
【００４８】
図５に示すように、立ち上り表層シート１６の裏面には両面粘着テープ１７が設けられている。該両面粘着テープ１７が、立ち上り補強部５０（５１，５２，５３）に貼り付けられている。硬質樹脂からなる立ち上り補強部５０は、発泡樹脂からなる立ち上り本体部１５よりも硬いから、立ち上り表層シート１６を立ち上り補強部５０にしっかりと押し当てて確実に貼り付けることができる。
立ち上り表層シート１６の裏面の上端部と、立ち上り補強部５０との間には、防水性粘着テープ４１が設けられている。さらに、立ち上り表層シート１６及び防水性粘着テープ４１の上端面と、立ち上り補強部５０の上端被さり部５５の洗い場側端部との間には、シーリング材４２が塗布されている。これによって、立ち上り表層シート１６の上端部と立ち上り補強部５０との間がシールされている。
【００４９】
図５に示すように、立ち上り表層シート１６と床表層シート１４との間の継ぎ目６ｇには、目地部材６０が設けられている。図３に示すように、目地部材６０は、洗い場床パネル３の幅方向Ｗに延びる細帯状に形成されている。かつ、目地部材６０は、可撓性を有し、立ち上り部５の屈曲形状に倣って屈曲されている。
【００５０】
図６に示すように、目地部材６０は、ベース部６１と、目地部６２を含む。ベース部６１には嵌合凹溝６１ｂが形成されている。ベース部６１における洗い場側の端部に目地部６２が一体に連なっている。
例えば、ベース部６１は、ＡＢＳ、ＰＶＣなどの硬質樹脂によって構成され、目地部６２は、軟質アクリルなどの軟質樹脂によって構成されている。目地部材６０は、前記硬質樹脂と軟質樹脂との二色押出成形によって形成されている。
【００５１】
図７に示すように、立ち上り表層シート１６の下端部が嵌合凹溝６１ｂに圧入されて嵌合されている。これによって、立ち上り表層シート１６及び目地部材６０を互いに一体化された状態で、洗い場床パネル３に設置することができる。
【００５２】
図５に示すように、目地部材６０のベース部６１は、コーナー溝１０ｄの水密材４３上に被さるようにして、コーナー部１０ｃに設置されている。水密材４３は、ベース部６１の下面に液密に密着されるとともに、床表層シート１４のコーナー部１０ｃ側の端面（図５において左端面）にも液密に密着されている。
目地部６２は、床表層シート１４のほぼ水平な表側面（上面）と、立ち上り表層シート１６のほぼ垂直な表側面との間に跨っている。目地部６２によって、表層シート間継ぎ目６ｇが覆われている。
水密材４３と目地部材６０によって表層シート間継ぎ目６ｇが防水処理されている。かつ目地部材６０によって、水密材４３の捲れや千切れが防止されている。
【００５３】
浴室ユニット１によれば、洗い場床パネル３が、広床部３ａと狭床部３ｂと中間床部３ｃを有する異形形状（非四角形）となる。広床部３ａを設けることによって洗体スペースを広くできる。浴室全体の面積を広げたり浴槽２を狭めたりする必要はない。浴槽２については、狭床部３ｂと対向する浴槽部分２ｂを広くすることで、ゆとりを持たせることができる。これによって、浴室ユニット１の使い勝手を向上できる。
【００５４】
パネル本体１０は発泡成形によって作製できる。一般に、発泡成形金型は、圧縮成形金型よりも構造が簡素で安価である。加えて、パネル本体１０は補強殻体１１で囲まれて補強されるから、パネル本体１０自体には補強リブを設ける必要が無い。したがって、パネル本体１０の形状を簡素化できる。ひいてはパネル本体１０用の発泡成形金型の構造を一層簡素化でき、金型費用を一層安価にできる。パネル本体１０によれば、例えばＦＲＰの圧縮成形用の金型と比べ、金型費用が５分の１〜６分の１以下となる。図１及び図８に示すように、左右勝手違いの浴室ユニット１，１Ａ洗い場床パネル３，３Ａを作るために金型費用が２倍になったとしても、ＦＲＰ圧縮成形品の場合の左右片側用の金型費用より十分に安価である。また、上下の補強パネル部材１２，１３は、シャーリング、穴明け、折り曲げなどによって作製でき、金型は不要である。したがって、異形形状の洗い場床パネル３ひいては浴室ユニット１を安価に製造でき、多品種少量生産を行うことができる。
【００５５】
洗い場排水口４を細長形状とし、かつ斜縁３ｄに沿うように配置することによって、洗い場排水口４の納まりをよくすることができる。また、入浴者が浴室ユニット１の出入り時などに洗い場排水口４を踏まないようにできる。
【００５６】
立ち上り補強部５０によって発泡樹脂製の立ち上り本体部１５を補強できる。立ち上り補強部５０を分割することによって、各立ち上り補強部材５１，５２，５３を例えば押出成形によって安価に作製できる。
洗い場床パネル３の表層シート６を、床面３ｆ用の表層シート１４と立ち上り部５用の表層シート１６とに分割することによって、１枚の表層シートを異形の床面３ｆから立ち上り部５側へ立ち上げる必要が無い。したがって、異形の洗い場床パネル３に表層シート６を容易に張設できる。
【００５７】
次に、本発明の他の実施形態を説明する。以下の実施形態において既述の形態と重複する構成に関しては、図面に同一符号を付して説明を省略する。
図９は、本発明の第２実施形態に係る浴室ユニット１Ｂを示したものである。浴室ユニット１Ｂにおいては、洗い場床パネル３Ｂの幅寸法（図９において上下方向の寸法）が第１実施形態（図１）よりも狭くなっている。洗い場床パネル３Ｂの平面視寸法は、例えば幅１２００ｍｍ×奥行１６００ｍｍ程度である。
幅狭な分だけ、狭床部３ｂの幅寸法が、広床部３ａの幅寸法より小さくなっている。
広床部３ａの面積は、第１実施形態と同等の大きさになっている。これによって、洗体スペースを十分に広く確保できる。
洗い場床パネル３Ｂの洗い場排水口４は、長手方向を真っすぐ幅方向Ｗへ向けて、広床部３ａにおける浴槽側の縁に沿って配置されている。
【００５８】
本発明は、前記実施形態に限定されるものではなく、その趣旨を逸脱しない範囲において種々の改変をなすことができる。
例えば、洗い場床パネル３の平面視形状は、前記実施形態のものに限られず、例えば奥行が段差状に変化する異形形状でもよく、曲線状の縁部を含む異形形状でもよく、台形その他の、正方形又は長方形以外の四角形であってもよい。
中間床部３ｃにおける浴槽側の縁が、幅方向Ｗに対してほぼ直交していてもよい。中間床部３ｃの浴槽側の縁が曲線状であってもよい。
洗い場排水口４が、狭床部３ｂに設けられていてもよい。
洗い場床パネル３が複数の広床部３ａを有していてもよく、複数の狭床部３ｂを有していてもよい。
【産業上の利用可能性】
【００５９】
本発明は、例えば戸建て住宅や集合住宅のユニットバスに適用できる。
【符号の説明】
【００６０】
Ｗ        幅方向
Ｌ        奥行方向
１        浴室ユニット
２        浴槽
２ａ      狭い浴槽部分
２ｂ      広い浴槽部分
２ｃ      中間浴槽部分
３        洗い場床パネル
３ａ      広床部
３ｂ      狭床部
３ｃ      中間床部
３ｄ      斜縁
３ｆ      床面
４        洗い場排水口
５        立ち上り部
５ａ      広床側立ち上り部分
５ｂ      狭床側立ち上り部分
５ｃ      中間床側立ち上り部分
６        表層シート
１０      パネル本体
１１      補強殻体
１２      上側補強パネル部材
１３      下側補強パネル部材
１４      床表層シート
１５      立ち上り本体部
１６      立ち上り表層シート
５０      立ち上り補強部０
５１      広床側立ち上り補強部材
５２      狭床側立ち上り補強部材
５３      中間床側立ち上り補強部材
５６      洗い場側被さり部
６０      目地部材
６１      ベース部
６１ｂ    嵌合凹溝
６２      目地部
【図１】
2020041371.tif 000003
【図２】
2020041371.tif 000004
【図３】
2020041371.tif 000005
【図４】
2020041371.tif 000006
【図５】
2020041371.tif 000007
【図６】
2020041371.tif 000008
【図７】
2020041371.tif 000009
【図８】
2020041371.tif 000010
【図９】
2020041371.tif 000011